(57)【要約】【課題】ボディを有する楽器において、音質改善を図ることができるようにする。【解決手段】少なくとも表板４と裏板５を有する箱状のボディ２を備え、裏板５が、樹脂材料からなり、裏板５の外面５ａは、ボディ２の外側から窪む窪み面２３Ａを有し、裏板５の内面５ｂは、ボディ２の内側に突出する突出面２３Ｂを有し、窪み面２３Ａの少なくとも一部は、裏板５の板厚方向において突出面２３Ｂと重なる楽器を提供する。【選択図】図３
2020154231.tif 000002
【特許請求の範囲】
【請求項１】
少なくとも表板と裏板を有する箱状のボディを備え、
前記裏板が、樹脂材料からなり、
前記裏板の外面は、前記ボディの外側から窪む窪み面を有し、
前記裏板の内面は、前記ボディの内側に突出する突出面を有し、
前記窪み面の少なくとも一部は、前記裏板の板厚方向において前記突出面と重なる楽器。
【請求項２】
前記裏板が、前記ボディの外側に膨らむラウンドバック形状を有し、
前記裏板の周縁が、前記表板の周縁に接続されている請求項１に記載の楽器。
【請求項３】
前記表板の周縁は、前記表板の内側に湾曲するくびれ曲線を有し、
前記裏板は、前記ボディの外側から窪んでおり、前記窪み面から前記表板のくびれ曲線まで延びる溝部を有する請求項２に記載の楽器。
【請求項４】
前記表板の周縁は、前記表板の内側に湾曲する第一のくびれ曲線と第二のくびれ曲線を有し、
前記窪み面は、前記第一のくびれ曲線と前記第二のくびれ曲線の両端の間に位置する請求項１から請求項３のいずれか一項に記載の楽器。
【請求項５】
前記表板の周縁のうち前記表板の面に沿う第一方向に並ぶ一対の縁線部は、前記第一方向において前記表板の内側に湾曲し、前記第一方向に並ぶ一対のくびれ曲線を含み、
前記窪み面は、前記表板の面に沿って前記第一方向に直交する第二方向における前記一対のくびれ曲線の両端の間に位置する請求項１から請求項４のいずれか一項に記載の楽器。
【請求項６】
前記表板の周縁のうち前記表板の面に沿う第一方向に並ぶ一対の縁線部は、前記第一方向において前記表板の内側に湾曲し、前記第一方向に並ぶ一対のくびれ曲線を含み、
前記窪み面は、前記第一方向における前記裏板の中央に位置する請求項１から請求項５のいずれか一項に記載の楽器。
【請求項７】
楽器に使われるボディの裏板であって、
樹脂材料からなり、
外面は、前記ボディの外側から窪む窪み面を有し、
内面は、前記ボディの内側に突出する突出面を有し、
前記窪み面の少なくとも一部は、板厚方向において前記突出面と重なる楽器用の板材。
【発明の詳細な説明】
【技術分野】
【０００１】
本発明は、楽器及び楽器用の板材に関する。
【背景技術】
【０００２】
従来、アコースティックギター等のように内部が空洞となっているボディを有する楽器がある。特許文献１〜３には、この種の楽器の製造コストを抑えるために、ボディの一部をプラスチックで形成したギターが開示されている。また、特許文献３には、ボディの裏板をボディの背面側に膨らむ湾曲形状（ラウンドバック形状）に形成したギターが開示されている。
【先行技術文献】
【特許文献】
【０００３】
【特許文献１】実用新案登録第３０２８８８１号公報
【特許文献２】実開平７−８８９１号公報
【特許文献３】特許第４８０９２２１号公報
【発明の概要】
【発明が解決しようとする課題】
【０００４】
ところで、ボディの一部または全部をプラスチック（樹脂材料）で形成した楽器には、音質の改善が求められている。音質を改善するためには、ボディの剛性を向上することが好ましい。
【０００５】
本発明は、上述した事情に鑑みてなされたものであって、ボディの剛性を向上して音質改善を図ることが可能な楽器及び楽器用の板材を提供することを目的とする。
【課題を解決するための手段】
【０００６】
本発明の楽器は、少なくとも表板と裏板を有する箱状のボディを備え、前記裏板が、樹脂材料からなり、前記裏板の外面は、前記ボディの外側から窪む窪み面を有し、前記裏板の内面は、前記ボディの内側に突出する突出面を有し、前記窪み面の少なくとも一部は、前記裏板の板厚方向において前記突出面と重なる。
【０００７】
本発明の楽器用の板材は、楽器に使われるボディの裏板であって、樹脂材料からなり、外面は、前記ボディの外側から窪む窪み面を有し、内面は、前記ボディの内側に突出する突出面を有し、前記窪み面の少なくとも一部は、板厚方向において前記突出面と重なる。
【発明の効果】
【０００８】
本発明によれば、ボディの剛性を向上して楽器の音質改善を図ることができる。
【図面の簡単な説明】
【０００９】
【図１】本発明の一実施形態に係るギターを正面側から見た正面図である。
【図２】図１のギターのボディを背面側から見た背面図である。
【図３】図２のIII−III矢視断面図である。
【図４】図２のIV−IV矢視断面図である。
【図５】図２のV−V矢視断面図である。
【図６】実施例、比較例及び木製ギターのボディの周波数特性の一例を示すグラフである。
【発明を実施するための形態】
【００１０】
以下、図１〜６を参照して本発明の一実施形態について説明する。
図１に示すように、本実施形態に係る楽器は、アコースティックギター１（以下、ギター１と呼ぶ。）である。ギター１は、箱状のボディ２を備える。また、ギター１は、ボディ２から延びるネック３も備える。
【００１１】
図２〜５に示すように、ボディ２は、表板４及び裏板５を含む。表板４及び裏板５は、ギター１に使われるギター１用の板材である。表板４と裏板５とは、これらの板厚方向（Ｚ軸方向）に配列される。
本実施形態では、表板４や裏板５の板厚方向に直交する方向（表板４の面に沿う方向）のうちネック３が延びる方向（Ｙ軸方向）を、ボディ２などの長手方向（第二方向）と呼ぶ。また、表板４や裏板５の板厚方向及び幅方向に直交する方向（Ｘ軸方向）を、ボディ２などの幅方向（第一方向）と呼ぶ。
【００１２】
図１に示すように、板厚方向から見た表板４の形状は、一般的なアコースティックギターと同様に、表板４の周縁が湾曲したひょうたん状に形成されている。具体的に説明すれば、表板４の周縁のうち幅方向（第一方向）に並ぶ一対の縁線部１１は、一対のくびれ曲線１２を含む。各くびれ曲線１２は、幅方向において表板４の内側に湾曲する。一対のくびれ曲線１２は、幅方向に並んでいる。一対のくびれ曲線１２は、表板４の幅方向の中央（図１における基準線Ｌ１）を基準として左右対称となる形状に形成され、左右対称となる位置に配される。表板４に一対のくびれ曲線１２が形成されることで、長手方向（第二方向）における表板４の中途部が、長手方向における表板４の他の部位よりも細いくびれ部分となる。
表板４は、例えばボディ２の外側（特にＺ軸正方向）に膨らむ椀状に形成されてよいが、本実施形態では図３〜５に示すように平板状に形成されている。
【００１３】
図２〜５に示すように、裏板５は、例えば表板４と同様に平板状に形成されてよい。本実施形態の裏板５は、ボディ２の外側（特にＺ軸負方向）に膨らむラウンドバック形状（椀状）を有する。ラウンドバック形状を有する裏板５の周縁は、表板４の周縁に接続されている。これにより、内部に空洞Ｓを有する箱状のボディ２が構成される。
図２に示すように、裏板５の周縁は、表板４の周縁に対応する形状に形成されている。すなわち、裏板５の周縁は、表板４のくびれ曲線１２に対応するくびれ曲線２２を含む。裏板５のくびれ曲線２２は、表板４のくびれ曲線１２と同様に、幅方向に一対並んでいる。これにより、長手方向における裏板５の中途部には、表板４に対応するくびれ部分がある。
【００１４】
図２〜４に示すように、裏板５の外面５ａは、ボディ２の外側から窪む窪み面２３Ａを有する。窪み面２３Ａは、表板４及び裏板５の配列方向（Ｚ軸方向）において表板４に近づく方向（Ｚ軸正方向）に窪む。図３，４における仮想線Ｖ１は、裏板５が窪み面２３Ａを有さない場合の裏板５の外面５ａの形状を示している。図２における符号Ｂ１は、窪み面２３Ａと裏板５の外面５ａの他の領域との境界線を示している。
また、裏板５の内面５ｂは、ボディの内側に突出する突出面２３Ｂを有する。突出面２３Ｂは、表板４及び裏板５の配列方向（Ｚ軸方向）において表板４に近づく方向（Ｚ軸正方向）に突出する。図２における符号Ｂ２は、突出面２３Ｂと裏板５の内面５ｂの他の領域との境界線を示している。
窪み面２３Ａの少なくとも一部は、表板４及び裏板５の配列方向（Ｚ軸方向）において突出面２３Ｂと重なる。本実施形態において、窪み面２３Ａと突出面２３Ｂとは、互いに対応する位置に形成されている。図２においては、境界線Ｂ２で囲まれた突出面２３Ｂの領域の全体が、境界線Ｂ１で囲まれた窪み面２３Ａの領域と重なっている。これにより、窪み面２３Ａ及び突出面２３Ｂが形成された裏板５の部位における裏板５の板厚は、一定である。
【００１５】
図２に示すように、窪み面２３Ａは、裏板５の周縁から内側に離れて位置する。また、窪み面２３Ａは、ボディ２の長手方向における一対のくびれ曲線２２（１２）の両端２２ａ，２２ｂ（１２ａ，１２ｂ）の間に位置する。すなわち、窪み面２３Ａは、裏板５のうち他の部位よりも細いくびれ部分に位置する。
また、窪み面２３Ａは、幅方向における裏板５の中央に位置する。すなわち、窪み面２３Ａは、裏板５の幅方向の中央（図２における基準線Ｌ１）を基準として左右対称となるように位置する。
また、窪み面２３Ａは、裏板５の幅方向において左右対称となる形状に形成されている。
裏板５における突出面２３Ｂの位置は、窪み面２３Ａと同様であってよい。
【００１６】
図２，５に示すように、裏板５は、溝部２４を有する。溝部２４は、ボディ２の外側から窪んでいる。溝部２４は、窪み面２３Ａから表板４のくびれ曲線１２（２２）まで延びている。本実施形態において、裏板５は溝部２４を一対有する。一対の溝部２４は、窪み面２３Ａから表板４の一対のくびれ曲線１２（２２）までそれぞれ延びている。一対の溝部２４は、幅方向における窪み面２３Ａの両端に接続されている。図５における仮想線Ｖ２は、溝部２４が形成されない場合の裏板５の外面５ａの形状を示している。
【００１７】
本実施形態において、溝部２４の内面は、図５に示すように、ボディ２の長手方向に直交する断面において、丸みを帯びている。溝部２４は、図２に示すように裏板５の板厚方向から見て、窪み面２３Ａからくびれ曲線１２まで湾曲状に延びている。溝部２４は、例えば、窪み面２３Ａからくびれ曲線１２まで直線状に延びてもよい。
また、本実施形態において、一対の溝部２４は、裏板５の幅方向の中央（図１における基準線Ｌ１）を基準として左右対称となる形状に形成され、左右対称となる位置に配される。
【００１８】
以上のように構成される本実施形態のボディ２において、裏板５は、樹脂材料によって構成されている。樹脂材料は、例えば天然樹脂材料であってもよいが、本実施形態では合成樹脂材料（プラスチック材料）である。合成樹脂材料としては、例えばポリスチレン（ＰＳ）やポリプロピレン（ＰＰ）、ＡＢＳ樹脂などが挙げられる。
表板４は、例えば裏板５と同様に樹脂材料によって構成されてよい。本実施形態の表板４は、従来周知のアコースティックギター（以下、木製ギターと呼ぶ）と同じ木材によって構成されている。表板４は、例えば木製ギターの表板と同様に構成されてよい。
【００１９】
以上説明したように、本実施形態のギター１によれば、裏板５は、ボディ２の外側から窪む窪み面２３Ａ、及び、ボディ２の内側に突出する突出面２３Ｂを有する。これら窪み面２３Ａ及び突出面２３Ｂは、表板４や裏板５の板厚方向（Ｚ軸方向）において互いに重なる。これにより、樹脂材料からなる裏板５の剛性を向上できる。したがって、ボディ２の剛性を向上してギター１の音質改善を図ることができる。
【００２０】
また、本実施形態のギター１によれば、裏板５がボディ２の外側に膨らむラウンドバック形状を有する。このため、樹脂材料からなる裏板５の剛性をさらに向上できる。これにより、ギター１の音質改善をさらに図ることができる。
【００２１】
また、本実施形態のギター１によれば、ラウンドバック形状を有する裏板５は、ボディ２の外側から窪んでおり、窪み面２３Ａから表板４のくびれ曲線１２まで延びる溝部２４を有する。これにより、裏板５の剛性をさらに向上できる。したがって、ギター１の音質改善をさらに図ることができる。
【００２２】
また、本実施形態のギター１によれば、裏板５に形成された窪み面２３Ａや突出面２３Ｂは、ボディ２の長手方向（第二方向）における一対のくびれ曲線１２の両端の間に位置する。すなわち、窪み面２３Ａや突出面２３Ｂは裏板５のくびれ部分に形成されている。これにより、裏板５の剛性を効果的に向上して、ギター１の音質改善をさらに図ることができる。
【００２３】
また、本実施形態のギター１によれば、裏板５が、樹脂材料によって構成されることで、木材からなる場合と比較して、裏板５の剛性や周波数特性のばらつきを抑えることができる。したがって、安定した品質の裏板５を製造できる。
また、樹脂材料からなる裏板５は、木材の場合と比較して低いコストで製造できる。すなわち、ギター１を安価に製造することができる。
【００２４】
次に、ラウンドバック形状の裏板５に窪み面２３Ａ、突出面２３Ｂ、溝部２４を形成することで、ギター１の音質を改善できる点について、図６を参照して説明する。
図６は、ボディの周波数特性について、「実施例」、「比較例」、「木製ギター」を比較したグラフである。「実施例」は、樹脂材料からなるラウンドバック形状の裏板５に窪み面２３Ａ、突出面２３Ｂ及び溝部２４を形成した本実施形態のボディ２である。「比較例」は、樹脂材料からなる裏板５に窪み面２３Ａ、突出面２３Ｂ及び溝部２４を形成していないボディである。「木製ギター」は、木材からなるラウンドバック形状の裏板５に窪み面２３Ａ、突出面２３Ｂ及び溝部２４を形成していないボディである。図６のグラフは、ボディの加速度応答性を示したグラフである。
【００２５】
図６に示すように、「比較例」のボディの周波数特性は、「木製ギター」のボディの周波数特性に対して大きく異なる。
具体的に、「木製ギター」のボディでは、所定の周波数範囲ＦＲにおいて、一つの共鳴周波数ＦＷが現れる。これに対し、「比較例」のボディでは、所定の周波数範囲ＦＲにおいて、二つの共鳴周波数ＦＣ１，ＦＣ２が現れる。「比較例」における二つの共鳴周波数ＦＣ１，ＦＣ２は、「木製ギター」における共鳴周波数ＦＷと大きく異なる。「比較例」における一方の共鳴周波数ＦＣ１は「木製ギター」の共鳴周波数ＦＷよりも低く、他方の共鳴周波数ＦＣ２は「木製ギター」の共鳴周波数ＦＷよりも高い。また、「比較例」の一方の共鳴周波数ＦＣ１については、加速度応答の高さも、「木製ギター」の共鳴周波数ＦＷに対して大幅に低い。
【００２６】
一方、窪み面２３Ａ、突出面２３Ｂ及び溝部２４を形成した「実施例」のボディ２の周波数特性は、「木製ギター」のボディの周波数特性に近い。
具体的に、「実施例」のボディ２では、所定の周波数範囲ＦＲにおいて、「木製ギター」と同様に、一つの共鳴周波数ＦＥが現れる。また、「実施例」における共鳴周波数ＦＥは、「比較例」と比較して、「木製ギター」における共鳴周波数ＦＷに対して近い値になっている。さらに、「実施例」における共鳴周波数ＦＥについては、加速度応答の高さも、「比較例」と比較して、「木製ギター」における共鳴周波数ＦＷに対して近い。
以上のことから、本実施形態のギター１では、樹脂材料からなる裏板５に窪み面２３Ａ、突出面２３Ｂ及び溝部２４を形成することで、明らかにボディ２の周波数特性（すなわち音質）の改善を図ることができる。
【００２７】
以上、本発明について詳細に説明したが、本発明は上記実施形態に限定されるものではなく、本発明の趣旨を逸脱しない範囲において種々の変更を加えることが可能である。
【００２８】
本発明の楽器において、窪み面や突出面は裏板の任意の位置に形成されてよい。窪み面や突出面は、例えば裏板の幅方向の中央に対して幅方向の一方側にずれた位置に形成されてよい。また、窪み面や突出面は、例えばボディの長手方向における一対のくびれ曲線の両端の外側に形成されてよい。
【００２９】
本発明の楽器では、裏板に形成される窪み面及び突出面の少なくとも一部が、表板及び裏板の配列方向（裏板の板厚方向）から見て互いに重なっていればよい。すなわち、窪み面と突出面とは、例えば、これらの一部同士が重なる範囲内で、裏板の内面や外面に沿う方向において互いにずれて位置してもよい。例えば、窪み面と突出面とは、窪み面の領域の一部と突出面の領域の一部とが重なり、窪み面の領域の残部と突出面の領域の残部とが重ならないように、相対的に位置してよい。この場合、窪み面及び突出面が形成された裏板の部位における裏板の板厚は、裏板の内面や外面に沿う方向において変化する。
【００３０】
本発明の楽器において、裏板に形成される溝部の数は、表板に形成されるくびれ曲線の数以下であればよい。例えば、表板がくびれ曲線を複数有していても、裏板には、窪み面から一つのくびれ曲線まで延びる一つの溝部だけが形成されてもよい。
【００３１】
本発明の楽器において、表板の周縁を構成するくびれ曲線は、例えば一つだけ形成されてもよいし、三つ以上形成されてもよい。また、表板の周縁は、くびれ曲線を含まなくてもよい。すなわち、板厚方向から見た表板の形状は、円形状や多角形状などの任意の形状に形成されてよい。この場合でも、板厚方向から見た裏板の形状は、表板に対応する形状に形成されてよい。
【００３２】
本発明は、例えば板厚方向に互いに間隔をあけて配された表板及び裏板と、裏板の周縁から表板の周縁まで延びる側板と、を含むボディを備える一般的なギターにも適用可能である。
本発明は、アコースティックギターに限らず、少なくとも表板及び裏板を含み、内部に空洞を有するボディを備える各種楽器に適用可能である。すなわち、本発明の楽器は、例えばヴァイオリン、ウクレレ、チェロ、カホンなどであってもよい。
【符号の説明】
【００３３】
１…ギター（楽器）、２…ボディ、３…ネック、４…表板、５…裏板、１１…縁線部、１２…くびれ曲線、１２ａ，１２ｂ…くびれ曲線１２の両端、２２…くびれ曲線、２２ａ，２２ｂ…くびれ曲線２２の両端、２３Ａ…窪み面、２３Ｂ…突出面、２４…溝部
【図１】
2020154231.tif 000003
【図２】
2020154231.tif 000004
【図３】
2020154231.tif 000005
【図４】
2020154231.tif 000006
【図５】
2020154231.tif 000007
【図６】
2020154231.tif 000008